(57)【特許請求の範囲】
【請求項１】
２枚の長方形状の非接触式ＩＣカード保持シート及び該非接触式ＩＣカード保持シートと同寸同形の導電体保持シート１枚とからなり、２枚のＩＣカード保持シート及び導電体保持シートを重ねて３枚束として、該３枚束の１辺を開閉自在に固定した非接触式ＩＣカードホルダーであって、２枚のＩＣカード保持シートのそれぞれの閉鎖面の側縁に樹脂製ジッパーを設け、さらに、これら樹脂製ジッパーに対向する導電体保持シートの面の表面及び裏面の側縁に、互いに嵌合する樹脂製ジッパーを設けてなり、２枚のＩＣカード保持シートの閉鎖面の側縁の樹脂製ジッパーを導電体保持シートの側縁のジッパーに嵌合することによって、２枚のＩＣカード保持シート面と導電体保持シートの面同士が密着して３枚束が密着固定されることを特徴とする非接触式ＩＣカードホルダー。
【請求項２】
ＩＣカード保持シートが長方形状シートの少なくとも２辺を閉鎖してなる袋体であり、該袋体は、長方形状の１辺に開口部を有するものである請求項１記載の非接触式ＩＣカードホルダー。
【請求項３】
ＩＣカード保持シート及び導電体保持シートの材質が合成樹脂シートである請求項１〜２のいずれか記載の非接触式ＩＣカードホルダー。
【請求項４】
ＩＣカード保持シート及び導電体保持シートが、布若しくは皮シートである請求項１〜３のいずれか記載の非接触式ＩＣカードホルダー。
【請求項５】
導電体保持シートの導電体が厚さ２５〜１００μｍの金属膜又は厚さ０.１〜３ｍｍの長方形の金属板であって、中央部に穴がある請求項１〜４のいずれか記載の非接触式ＩＣカードホルダー。
【請求項６】
ＩＣカード保持シート及び導電体保持シートの材質が合成樹脂シートであって、３枚束の１辺の開閉自在の固定が融着固定である請求項１、２、３又は５のいずれか記載の非接触式ＩＣカードホルダー。
【請求項７】
導電体保持シートが金属板である請求項１〜６のいずれか記載の非接触式ＩＣカードホルダー。
【発明の詳細な説明】
【技術分野】
【０００１】
本発明は、複数の非接触式ＩＣカードをまとめてカードホルダー収納した場合、カードホルダーから非接触式ＩＣカードを取り出さないで使用する時に生じるＩＣカードの読み取りエラーを防止することができる非接触式ＩＣカードホルダーに関する。
【背景技術】
【０００２】
近年、カードリーダ面にかざすだけで、すなわち、非接触式でカードリーダ面に設けられたアンテナ（以下リーダアンテナという）からの発信された磁力線の信号と交信することができる非接触式ＩＣカードが普及してきている。
現在、非接触式ＩＣカードは種類等異なるものが複数共存している。そのため、２枚以上の非接触式ＩＣカードを例えば定期入れなどのカードケースに重ねて入れて、持ち歩く機会が多くなっている。
この場合、定期入れ又はカードホルダーに２枚以上の非接触式ＩＣカードを収納したままカードリーダ面にかざすと非接触式であるために、２枚以上の非接触式ＩＣカードが同時にカードリーダと交信することとなり、読み取りエラーが生じる問題がある。
このような問題を解決するために、従来技術としては、該導電性シートの両側に、フェライト等の電波吸収体（磁性体）層を設け、その電波吸収体層の両側の面に、２枚の非接触式ＩＣカードを積層して、カード入れに収納するものが知られている（特許文献１及び特許文献２参照）。
これらの従来技術のカードホルダーは、収納されている２枚の非接触式ＩＣカードの間の導電性シート（金属シートなど）は、例えば、特許文献２に見られるように、非接触式ＩＣカードの寸法よりも導電性シートの寸法を大きくして、カードリーダ面から見て、導電性シートの反対側にある非接触式ＩＣカードと、リーダアンテナからの磁力線を遮断して反対側の非接触式ＩＣカードが作動しないようにしている。
そして、カードリーダ面から見て、導電性シートの手前側にある非接触式ＩＣカードが導電性シートによってリーダアンテナからの発信された磁力線を散乱させないために、導電性シートの手前側に電波吸収体層を設けた技術的思想である。
【特許文献１】特許第３６３０００６号
【特許文献２】特許第３８７２４９６号
【発明の開示】
【発明が解決しようとする課題】
【０００３】
本発明者らは、２〜４枚の非接触式ＩＣカード（以下単にＩＣカードという）を収納したカードホルダーにおいて、カードホルダーから非接触式ＩＣカードを取り出すことなく、カードホルダーをカードリーダ面にかざしても読み取りエラーが生じないカードホルダーであって、電波吸収体層（例えばフェライト層）を用いないカードホルダーを提供することによって、材料を省力化するとともに、製造工程を簡略にすることを目的とする。
【課題を解決するための手段】
【０００４】
本発明者らは、ＩＣカードのアンテナとリーダアンテナとの交信を遮断するのは、導電性シートがＩＣカードのリーダアンテナから磁力線が照射される側の面に密着している場合のみでなく、磁力線が照射される側の裏面側に導電性シートが近接している場合も、ＩＣカードのアンテナとリーダアンテナとの交信を確実に遮断することを見いだし、この知見に基づき、複数のＩＣカードと１枚の導電性シートの全体をまとめて積層した状態で持ち歩くことができ、カードリーダ面にＩＣカードの１枚を使用するときは、使用すべき非接触式ＩＣカードのみが導電性シートと積層状態になく、他のＩＣカードは全て導電性シートと積層された状態でカードホルダー全体をカードリーダ面にかざすことができ、かつ、使用すべきＩＣカードのみを導電性シートを含む積層面から簡単に分離できるカードホルダーの構造を案出して本発明を完成した。
すなわち、本発明は、
（１）２枚の長方形状の非接触式ＩＣカード保持シート及び該非接触式ＩＣカード保持シートと同寸同形の導電体保持シート１枚とからなり、２枚のＩＣカード保持シート及び導電体保持シートを重ねて３枚束として、該３枚束の１辺を開閉自在に固定した非接触式ＩＣカードホルダーであって、２枚のＩＣカード保持シートのそれぞれの閉鎖面の側縁に樹脂製ジッパーを設け、さらに、これら樹脂製ジッパーに対向する導電体保持シートの面の表面及び裏面の側縁に、互いに嵌合する樹脂製ジッパーを設けてなり、２枚のＩＣカード保持シートの閉鎖面の側縁の樹脂製ジッパーを導電体保持シートの側縁のジッパーに嵌合することによって、２枚のＩＣカード保持シート面と導電体保持シートの面同士が密着して３枚束が密着固定されることを特徴とする非接触式ＩＣカードホルダー、
（２）ＩＣカード保持シートが長方形状シートの少なくとも２辺を閉鎖してなる袋体であり、該袋体は、長方形状の１辺に開口部を有するものである第１項記載の非接触式ＩＣカードホルダー、
（３）ＩＣカード保持シート及び導電体保持シートの材質が合成樹脂シートである第１〜２項のいずれか記載の非接触式ＩＣカードホルダー、
（４）ＩＣカード保持シート及び導電体保持シートが、布若しくは皮シートである第１〜３項のいずれか記載の非接触式ＩＣカードホルダー、
（５）導電体保持シートの導電体が厚さ２５〜１００μｍの金属膜又は厚さ０.１〜３ｍｍの長方形の金属板であって、中央部に穴がある第１〜４項のいずれか記載の非接触式ＩＣカードホルダー、
（６）ＩＣカード保持シート及び導電体保持シートの材質が合成樹脂シートであって、３枚束の１辺の開閉自在の固定が融着固定である第１、２、３又は５項のいずれか記載の非接触式ＩＣカードホルダー、及び、
（７）導電体保持シートが金属板である第１〜６項のいずれか記載の非接触式ＩＣカードホルダー、
を提供するものである。
【発明の効果】
【０００５】
本発明によるＩＣカードホルダーを使用すれば、二枚のＩＣカードを収納でき、使用したいＩＣカードの使用時には、該ＩＣカードが導電性シートと重ならないように開くことで、読み取りエラーが生じることなく正常に使用することができる。
【発明を実施するための最良の形態】
【０００６】
本発明を、図面によって説明する。本発明は、該図面によって制限されるものではない。
図１は、本発明の一態様のカードホルダーを、連結部を開いて展開した状態の平面図である。
図１は、４枚の長方形状のＩＣカード保持シート１、２、３及び４が、中央の１枚の導電体保持シートＤの長方形状の４辺と屈折自在の連結部Ｒによって連結されている。
４枚のＩＣカード保持シートには、それぞれ袋体部Ｆが設けられている。この袋体部Ｆは、長方形状シートのＩＣカード保持シートの少なくとも２辺を閉鎖して形成されていて、長方形状の１辺には非接触式ＩＣカードＡを挿入するための開口部Ｋが設けられている。
図１のＩＣカードホルダーの導電体保持シートは、非導電性シートに保持されている。
保持の方法は、非導電性シートに接着剤等で貼付けたり、非導電性シートで形成された袋部に収納させることができる。
非導電性シートとしては、合成樹脂製又は布若しくは皮製とすることができる。
場合によっては、金属板に、直接屈曲自在の連結部をつけて、ＩＣカード保持シートと連結することができる。
本発明の導電体保持シートに用いる導電体は、厚さ２５〜１００μｍ金属膜又は厚さ０.１〜３ｍｍの金属板を用いることができる。金属層の厚さは、ＩＣカードホルダーが折り畳むことができる範囲で厚くても問題なく使用できるが、厚さが薄いと磁力線の遮蔽効果が低下する。そのため、金属層の厚さは０.０４０〜３ｍｍの金属層が好ましい。
図１のＩＣカードホルダー連結部Ｒは、導電体保持シートＤの面とＩＣカード保持シートの面を、１８０〜３６０度の角度まで開くことができる。
例えば、図１のＩＣカードホルダーのＩＣカード保持シートにＩＣカードを収納して、ＩＣカード保持シート４、ＩＣカード保持シート３、ＩＣカード保持シート２をそれぞれの折り癖を付けた連結部Ｒにおいて、表側又は裏側方向に１８０度折り曲げて、最後にＩＣカード保持シート１を表側に折り曲げ、表面にすると図２の平面図のような５重シートのＩＣカードホルダーの平面形状にすることができる。そして、図２の状態からＩＣカード保持シート１のみを左に開くと、ＩＣカード保持シート１のみが、導電体保持シートＤの面積の外側に外れる。この開いた状態で、カードリーダ面にＩＣカードホルダーのどちらの面を向けてかざしても、ＩＣカード保持シート１に収納されているＩＣカードのみがカードリーダのアンテナと交信し、他のＩＣカード保持シートのＩＣカードが混信することはない。本発明のＩＣカードホルダーのＩＣカード保持シートの袋体部にはＩＣカード以外に、プラスチック製プリペイドカード、クレジットカード又は名刺、メモ用紙等の紙類などの磁界を妨害しないものであれば特に制限無く収納することができる。
また、本発明のＩＣカードホルダーを複数連結させた態様とすることができる。
【０００７】
本発明のＩＣカードホルダーの材質は、合成樹脂シート、布シート、皮シート、合成皮革シート等のシート形状であれば、特に制限無く用いることができる。
本発明の導電体保持シートの４辺に設ける連結部は、１８０〜３６０度の角度まで、屈曲することが必要であり、そのため可撓性のある合成樹脂、皮、布などを連結部の材質にすることができる。特に、合成樹脂としては、反復屈曲性の極めて大きいポリプロピレン樹脂が特に望ましい。
本発明のＩＣカードホルダーの連結部並びにＩＣカード保持シート及び導電体保持シートの材質を同一材質にすることが、ＩＣカードホルダー全体を連続化できるので強度及び製造工程の観点から望ましい。
特に、本発明のＩＣカードホルダーの全シートを熱可塑性合成樹脂で統一すると、プラスチック製袋体連続製造工程に常用されている熱シール手段、熱溶断手段によって、連続的に製造できるので好ましい。
本発明のＩＣカードホルダーは、図１のＩＣカード保持シート１〜４のいずれか１〜２枚を削除することができる。１枚を削除した場合には、導電体保持シートを中心にして３枚のＩＣカード保持シートが、Ｔ字型に連結された展開形状となり、２枚を削除した場合は、導電体保持シートを中間にして、直線状又はＬ字型の展開図となる。
図３は、本発明のＩＣカードホルダーの他の態様を示す正面図であり、図５は、本発明のＩＣカードホルダーの他の態様を示す断面図である。図３に示すように、導電体保持シートを真ん中にして、２枚のＩＣカード保持シートを長方形の１辺で束ねたＩＣカードホルダーの袋体部にＩＣカードを収納した状態のＩＣカードホルダーとなっている。この実施例の導電体保持シートは６０μｍのアルミ箔を２枚の１００μｍの厚さの樹脂シートの間に封入したシートである。そして、導電体保持シート及びＩＣカード保持シートは、綴じ部Ｊにおいて、一体的に溶着して固定されている。
ＩＣカードは、左右のＩＣカード保持シートに設けた袋体部Ｆの開口部Ｋから袋体に挿入されている。ＩＣカードの端が外に露出しているのは、ＩＣカードを取り出し易くするためである。
【０００８】
本発明のＩＣカードホルダーを、ポリプロピレン樹脂シートによって製造すると、表面光沢がよく、製品の印刷模様が鮮明になるとともに、屈曲反復に対する強度が大きいので好適である。
図３のＩＣカードホルダーのＩＣカード保持シートの縁には、凸状リブと凹状溝を組み合わせて固定できるジッパーＧの片方が形成されている。そして、本発明のＩＣカードホルダーを閉鎖したときに、ＩＣカード保持シートの縁のジッパーＧにちょうど一致する位置にジッパーＧに嵌合するジッパーＨが取り付けられている。
図３のＩＣカードホルダーは、図４のように一方のＩＣカード保持シートを広げて、カードリーダにかざすことができる。このとき、図４の上段の状態に導電体保持シートを左のＩＣカード保持シート面を密着させると、右側のＩＣカード保持シートのＩＣカードは、カードリーダと交信可能であるが、左側のＩＣカード保持シートのＩＣカードは、ＩＣカード保持シートの裏表のいずれの面から照射された磁力線にも反応しない。図４の下段の状態では、ＩＣカード保持シートの裏表のいずれの側から磁力線が照射されても、左のＩＣカード保持シートのＩＣカードがカードリーダと交信可能となり、右側のＩＣカード保持シートＩＣカードは、作動しない。
本発明のＩＣカードホルダーを使用するときは、使用するＩＣカード保持シートを開いて、他のＩＣカード保持シートは指で押さえて、カードリーダ面にかざせば、所定のＩＣカードのみを使用することができる。
また、本発明のＩＣカードホルダーでは、導電体保持シートを、金属板を露出した状態で使用することができる。この場合も、連結部は、可撓性の材質によって、ＩＣカード保持シートと連結する必要が生じる。
また、本発明の導電体は、長方形の導電体シートが好適であるが、ＩＣカードの全面積をカバーしていない態様となる長方形導電体シート中央部の導電体層部分を削除した穴あき導電体シートにすることができる。
【産業上の利用可能性】
【０００９】
本発明の非接触式ＩＣカードホルダーは、複数の非接触式ＩＣカードを収納するカードホルダーとして使用することができる。カードホルダーに複数枚の非接触式ＩＣカードを収納したまま、使用したい一枚の非接触式ＩＣカードのみをカードリーダにかざして、正常に使用することができる点で有用である。
【図面の簡単な説明】
【００１０】
【図１】本発明の実施形態の一例を示す平面図である。
【図２】本発明の実施形態の一例を示す平面図である。
【図３】本発明の他の実施形態の一例を示す正面図である。
【図４】本発明の他の実施形態の一例を示す断面図である。
【図５】本発明の図３の他の実施形態の一例を示す断面図である。
【符号の説明】
【００１１】
１  ＩＣカード保持シート
２  ＩＣカード保持シート
３  ＩＣカード保持シート
４  ＩＣカード保持シート
Ａ  非接触式ＩＣカード
Ｄ  導電体保持シート
Ｆ  袋体部
Ｇ  ジッパー
Ｈ  ジッパー
Ｊ  綴じ部
Ｋ  開口部
Ｒ  連結部
【図１】
0004466927.tif 000002
【図２】
0004466927.tif 000003
【図３】
0004466927.tif 000004
【図４】
0004466927.tif 000005
【図５】
0004466927.tif 000006